【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
ストロボ光源として使用されるＲ、Ｇ、Ｂの３色の発光ダイオードと、
電源供給手段と、
前記電源供給手段から前記３色の発光ダイオードに電気エネルギーをそれぞれ独立して
供給し、前記３色の発光ダイオードから発光されるＲ、Ｇ、Ｂの３色の発光量の比と、３
色の全発光量とを制御する発光制御手段であって、前記３色の発光量の比に対応したデュ
ーティ比でそれぞれ前記Ｒ、Ｇ、Ｂの発光ダイオードをＯＮ／ＯＦＦ制御する発光制御手
段と、
を備えたことを特徴とするカメラのストロボ装置。
【請求項２】
前記発光制御手段は、
前記発光ダイオードから発生した光の被写体からの反射光を検出する調光センサと、
前記調光センサによって検出された受光量が所定の基準値に達すると、前記発光ダイオ
ードの発光を停止させる発光停止制御手段と、
を有することを特徴とする請求項１に記載のカメラのストロボ装置。
【請求項３】
ストロボ光源として使用されるＲ、Ｇ、Ｂの３色の発光ダイオードと、
電源供給手段と、
前記３色の発光ダイオードから発光されるストロボ光の１乃至複数の発光色を記憶する
記憶手段と、
前記記憶手段に記憶された発光色の読出しを指示する指示手段と、
前記電源供給手段から前記３色の発光ダイオードに電気エネルギーをそれぞれ独立して
供給し、前記３色の発光ダイオードから発光されるＲ、Ｇ、Ｂの３色の発光量の比と、３
色の全発光量とを制御する発光制御手段であって、前記指示手段によって前記記憶手段か
ら所望の発光色が読み出されると、その読み出された発光色となるように前記Ｒ、Ｇ、Ｂ
の３色の発光量の比を制御する発光制御手段と、
を備えたことを特徴とするカメラのストロボ装置。
【請求項４】
前記発光制御手段は、
前記Ｒ、Ｇ、Ｂの発光ダイオードの発光量のうちの最も発光量が少ない発光ダイオード
のみ又は前記Ｒ、Ｇ、Ｂの発光ダイオードから発生した光の被写体からの反射光を検出す
る調光センサと、
前記調光センサによって検出された受光量が、前記Ｒ、Ｇ、Ｂの発光ダイオードの発光
量の比に応じた所定の基準値に達すると、前記最も発光量が少ない発光ダイオードの発光
を停止させる第１の発光停止制御手段と、
前記第１の発光停止制御手段によって発光制御された発光ダイオードの発光時間を測定
する測定手段と、
前記測定手段によって測定された発光時間及び前記Ｒ、Ｇ、Ｂの発光ダイオードの発光
量の比に基づいて他の色の発光ダイオードの発光時間を算出する演算手段と、
前記演算手段によって算出された他の色の発光ダイオードの発光時間に基づいて該他の
色の発光ダイオードの発光を停止させる第２の発光停止制御手段と、
を有することを特徴とする請求項３に記載のカメラのストロボ装置。
【請求項５】
撮影レンズ及び撮像素子を介して得られる被写体像を示すカラーの画像信号を記録媒体
に記録する電子カメラにおいて、
ストロボ光源として使用されるＲ、Ｇ、Ｂの３色の発光ダイオードと、
電源供給手段と、
撮影前に前記撮像素子を介して得られる被写体像を示すカラーの画像信号に基づいて該
カラーの画像信号のＲ、Ｇ、Ｂの３色の比を検出する検出手段と、
前記電源供給手段から前記３色の発光ダイオードに電気エネルギーをそれぞれ独立して
供給し、前記３色の発光ダイオードから発光されるＲ、Ｇ、Ｂの３色の発光量の比と、３
色の全発光量とを制御する発光制御手段であって、前記検出手段によって検出されたＲ、
Ｇ、Ｂの３色の比に対応して前記Ｒ、Ｇ、Ｂの３色の発光量の比を制御する発光制御手段
と、
を備えたことを特徴とする電子カメラ。
【請求項６】
前記発光制御手段は、
前記Ｒ、Ｇ、Ｂの発光ダイオードの発光量のうちの最も発光量が少ない発光ダイオード
のみ又は前記Ｒ、Ｇ、Ｂの発光ダイオードから発生した光の被写体からの反射光を検出す
る調光センサと、
前記調光センサによって検出された受光量が、前記Ｒ、Ｇ、Ｂの発光ダイオードの発光
量の比に応じた所定の基準値に達すると、前記最も発光量が少ない発光ダイオードの発光
を停止させる第１の発光停止制御手段と、
前記第１の発光停止制御手段によって発光制御された発光ダイオードの発光時間を測定
する測定手段と、
前記測定手段によって測定された発光時間及び前記Ｒ、Ｇ、Ｂの発光ダイオードの発光
量の比に基づいて他の色の発光ダイオードの発光時間を算出する演算手段と、
前記演算手段によって算出された他の色の発光ダイオードの発光時間に基づいて該他の
色の発光ダイオードの発光を停止させる第２の発光停止制御手段と、
を有することを特徴とする請求項５に記載の電子カメラ。
【請求項７】
ストロボ光源として使用される発光ダイオードと、
電源供給手段と、
前記電源供給手段から前記発光ダイオードに電気エネルギーを供給し、前記発光ダイオ
ードから発光される発光量を制御する発光制御手段と、を備え、
前記発光制御手段は、
前記電源供給手段から電気エネルギーを前記発光ダイオードに供給するためのスイッチ
ング手段と、
前記発光ダイオードに流れる電流を検出する電流検出手段と、
前記電流検出手段によって検出される電流が所望の定電流になるように、デューティ比
が制御されたパルス信号によって前記スイッチング手段をＯＮ／ＯＦＦ制御するパルス幅
制御手段と、を含むことを特徴とするカメラのストロボ装置。
【請求項８】
前記発光制御手段は、前記発光ダイオードと直列に接続されたコイルと、カソード側が
コイルと接続され、アノード側がグランドに接地されたダイオードとを有し、前記スイッ
チング手段のＯＮ期間中には前記電源供給手段から前記コイルを介して前記発光ダイオー
ドに電流を流し、前記スイッチング手段のＯＦＦ期間中には前記コイルの誘導起電力によ
り前記ダイオード及びコイルを介して発光ダイオードに電流を流すことを特徴とする請求
項７に記載のカメラのストロボ装置。
【請求項９】
前記発光制御手段は、
前記発光ダイオードから発生した光の被写体からの反射光を検出する調光センサと、
前記調光センサによって検出された受光量が所定の基準値に達すると、前記発光ダイオ
ードの発光を停止させる発光停止制御手段と、
を有することを特徴とする請求項７に記載のカメラのストロボ装置。
【請求項１０】
前記発光ダイオードは、Ｒ、Ｇ、Ｂの３色の発光ダイオードからなり、
前記スイッチング手段及び電流検出手段は、前記３色の発光ダイオードごとに設けられ
、
前記パルス幅制御手段は、前記３色の発光ダイオードから発光されるＲ、Ｇ、Ｂの３色
の発光レベルの比が所望の比になるように、それぞれデューティ比が制御されたパルス信
号によって前記３色の発光ダイオードごとのスイッチング手段をそれぞれＯＮ／ＯＦＦ制
御することを特徴とする請求項７に記載のカメラのストロボ装置。
【請求項１１】
前記電源供給手段は、電池と、該電池からの電源電圧を昇圧する昇圧手段と、前記昇圧
手段によって昇圧された電圧によって電荷が充電される大容量のコンデンサとを有するこ
とを特徴とする請求項７に記載のカメラのストロボ装置。
【請求項１２】
前記発光ダイオードの温度を検出する温度センサを備え、
前記発光制御手段は、前記温度センサによって検出された温度に基づいて該温度にかか
わらず所望の発光量が得られるように前記発光ダイオードに電気エネルギーを供給するこ
とを特徴とする請求項７に記載のカメラのストロボ装置。
【請求項１３】
前記発光ダイオードの前方に、該発光ダイオードから出射される光を拡散させる拡散板を配置したことを特徴とする請求項１から４、及び請求項７から１２のいずれかに記載のカメラのストロボ装置。
【請求項１４】
前記発光ダイオードの前方に、該発光ダイオードから出射される光を拡散させる拡散板を配置したことを特徴とする請求項５又は６に記載の電子カメラ。
【請求項１５】
少なくとも１個の発光ダイオードからなるストロボ光源と、
前記発光ダイオードの発光量を制御する発光制御手段と、
電池の電圧を昇圧する手段と、
前記昇圧された電圧によって充電される大容量のコンデンサと、を備え、
前記発光制御手段は、前記コンデンサから電気エネルギーを前記発光ダイオードに供給することを特徴とするカメラのストロボ装置。
【請求項１６】
少なくとも１個の発光ダイオードからなるストロボ光源と、
電源供給手段と、
前記電源供給手段から電気エネルギーを前記発光ダイオードに供給するためのスイッチング手段と、
前記発光ダイオードの発光量を制御する発光制御手段と、を備え、
前記発光制御手段は、前記発光ダイオードと直列に接続されたコイルと、カソード側が
コイルと接続され、アノード側がグランドに接地されたダイオードとを有し、前記スイッ
チング手段のＯＮ期間中には前記電源供給手段から前記コイルを介して前記発光ダイオー
ドに電流を流し、前記スイッチング手段のＯＦＦ期間中には前記コイルの誘導起電力によ
り前記ダイオード及びコイルを介して発光ダイオードに電流を流すことを特徴とするカメラのストロボ装置。
【手続補正２】
【補正対象書類名】明細書
【補正対象項目名】００２７
【補正方法】変更
【補正の内容】
【００２７】
請求項１２に示すように請求項７に記載のカメラのストロボ装置において、前記発光ダ
イオードの温度を検出する温度センサを備え、前記発光制御手段は、前記温度センサによ
って検出された温度に基づいて該温度にかかわらず所望の発光量が得られるように前記発
光ダイオードに電気エネルギーを供給することを特徴としている。即ち、発光ダイオード
は周囲温度によって光量が変動するが、発光ダイオードに供給する電気エネルギーを温度
補正するようにしたため、発光量を安定させることができる。
請求項１３に示すように請求項１から４、及び請求項７から１２のいずれかに記載のカ
メラのストロボ装置において、前記発光ダイオードの前方に、各発光ダイオードから出射される光を拡散させる拡散板を配置したことを特徴としている。
請求項１４に示すように請求項５又は６に記載の電子カメラにおいて、前記発光ダイオ
ードの前方に、各発光ダイオードから出射される光を拡散させる拡散板を配置したことを特徴としている。
請求項１３及び１４に記載の発明によれば、発光ダイオードから出射される指向性の高
い光を拡散させ、均一にすることができる。
請求項１５に係るカメラのストロボ装置は、少なくとも１個の発光ダイオードからなるストロボ光源と、前記発光ダイオードの発光量を制御する発光制御手段と、電池の電圧を昇圧する手段と、前記昇圧された電圧によって充電される大容量のコンデンサと、を備え、前記発光制御手段は、前記コンデンサから電気エネルギーを前記発光ダイオードに供給することを特徴としている。
請求項１６に係るカメラのストロボ装置は、少なくとも１個の発光ダイオードからなるストロボ光源と、電源供給手段と、前記電源供給手段から電気エネルギーを前記発光ダイオードに供給するためのスイッチング手段と、前記発光ダイオードの発光量を制御する発光制御手段と、を備え、前記発光制御手段は、前記発光ダイオードと直列に接続されたコイルと、カソード側がコイルと接続され、アノード側がグランドに接地されたダイオードとを有し、前記スイッチング手段のＯＮ期間中には前記電源供給手段から前記コイルを介して前記発光ダイオードに電流を流し、前記スイッチング手段のＯＦＦ期間中には前記コイルの誘導起電力により前記ダイオード及びコイルを介して発光ダイオードに電流を流すことを特徴としている。